(57)【特許請求の範囲】
【請求項１】
蓄積部と、
管理対象に関する計測を行なうセンサによる計測結果を示すセンサ情報を受信し、受信した前記センサ情報を前記蓄積部に蓄積する受信部と、
前記蓄積部に蓄積されている前記センサ情報の一部または全部を示す計測情報を作成し、作成した前記計測情報を送信する第１情報処理部と、
前記蓄積部に蓄積されている前記センサ情報に基づいて前記管理対象に関する判断を行い、判断結果を示す判断情報を作成し、作成した前記判断情報を送信する第２情報処理部とを備え、
前記第２情報処理部は、前記計測情報の送信先とは異なる送信先に前記判断情報を送信可能であり、
前記第１情報処理部は、前記計測情報を要求する旨を示す計測情報要求を受信し、受信した前記計測情報要求を前記蓄積部に蓄積し、
前記第１情報処理部は、前記蓄積部に蓄積されている前記センサ情報および前記計測情報要求に基づいて前記計測情報を作成し、
前記第２情報処理部は、前記蓄積部に蓄積されている前記計測情報要求に基づいて、前記計測情報の閲覧状況に関する判断を行い、判断結果を示す前記判断情報を作成し、作成した前記判断情報を送信する、管理装置。
【請求項２】
前記第２情報処理部は、前記判断情報の送信先の別に応じて異なる内容の前記判断情報を作成する、請求項１に記載の管理装置。
【請求項３】
管理装置と、
端末装置とを備え、
前記管理装置は、蓄積部を含み、
前記管理装置は、管理対象に関する計測を行なうセンサによる計測結果を示すセンサ情報を受信し、受信した前記センサ情報を前記蓄積部に蓄積し、前記蓄積部に蓄積されている前記センサ情報の一部または全部を示す計測情報を作成し、作成した前記計測情報を前記端末装置へ送信し、
前記管理装置は、前記蓄積部に蓄積されている前記センサ情報に基づいて前記管理対象に関する判断を行い、判断結果を示す判断情報を作成し、作成した前記判断情報を送信し、前記判断情報を前記計測情報の送信先である前記端末装置とは異なる送信先に送信可能であり、
前記端末装置は、前記計測情報を要求する旨を示す計測情報要求を前記管理装置へ送信し、
前記管理装置は、前記端末装置から送信された前記計測情報要求を受信し、受信した前記計測情報要求を前記蓄積部に蓄積し、前記蓄積部に蓄積されている前記センサ情報および前記計測情報要求に基づいて前記計測情報を作成し、
前記管理装置は、前記蓄積部に蓄積されている前記計測情報要求に基づいて、前記計測情報の閲覧状況に関する判断を行い、判断結果を示す前記判断情報を作成し、作成した前記判断情報を前記端末装置へ送信し、
前記端末装置は、前記管理装置から送信された前記判断情報を受信し、受信した前記判断情報を画面に表示する、管理システム。
【請求項４】
蓄積部を備える管理装置における管理方法であって、
管理対象に関する計測を行なうセンサによる計測結果を示すセンサ情報を受信し、受信した前記センサ情報を前記蓄積部に蓄積し、前記蓄積部に蓄積されている前記センサ情報の一部または全部を示す計測情報を作成し、作成した前記計測情報を送信するステップと、
前記蓄積部に蓄積されている前記センサ情報に基づいて前記管理対象に関する判断を行い、判断結果を示す判断情報を作成し、作成した前記判断情報を送信するステップとを含み、
前記判断情報を送信するステップにおいては、前記計測情報の送信先とは異なる送信先に前記判断情報を送信可能であり、
前記管理方法は、さらに、
前記計測情報を要求する旨を示す計測情報要求を受信し、受信した前記計測情報要求を前記蓄積部に蓄積するステップを含み、
前記計測情報を送信するステップにおいては、前記蓄積部に蓄積されている前記センサ情報および前記計測情報要求に基づいて前記計測情報を作成し、
前記判断情報を送信するステップにおいては、前記蓄積部に蓄積されている前記計測情報要求に基づいて、前記計測情報の閲覧状況に関する判断を行い、判断結果を示す前記判断情報を作成し、作成した前記判断情報を送信する、管理方法。
【請求項５】
蓄積部を含む管理装置と、メモリを含む端末装置とを備える管理システムにおける管理方法であって、
前記管理装置が、管理対象に関する計測を行なうセンサによる計測結果を示すセンサ情報を受信し、受信した前記センサ情報を前記蓄積部に蓄積し、前記蓄積部に蓄積されている前記センサ情報の一部または全部を示す計測情報を作成し、作成した前記計測情報を前記端末装置へ送信するステップと、
前記管理装置が、前記蓄積部に蓄積されている前記センサ情報に基づいて前記管理対象に関する判断を行い、判断結果を示す判断情報を作成し、作成した前記判断情報を送信するステップと、
前記端末装置が、前記メモリから読み出したプログラムに従い、前記管理装置から送信された前記判断情報を受信し、受信した前記判断情報を画面に表示するステップとを含み、
前記判断情報を送信するステップにおいては、前記管理装置が、前記計測情報の送信先とは異なる送信先に前記判断情報を送信可能であり、
前記管理方法は、さらに、
前記端末装置が、前記メモリから読み出したプログラムに従い、前記計測情報を要求する旨を示す計測情報要求を前記管理装置へ送信するステップと、
前記管理装置が、前記端末装置から送信された前記計測情報要求を受信し、受信した前記計測情報要求を前記蓄積部に蓄積するステップとを含み、
前記計測情報を送信するステップにおいては、前記管理装置が、前記蓄積部に蓄積されている前記センサ情報および前記計測情報要求に基づいて前記計測情報を作成し、
前記判断情報を送信するステップにおいては、前記管理装置が、前記蓄積部に蓄積されている前記計測情報要求に基づいて、前記計測情報の閲覧状況に関する判断を行い、判断結果を示す前記判断情報を作成し、作成した前記判断情報を送信する、管理方法。
【請求項６】
蓄積部を備える管理装置において用いられる管理プログラムであって、
コンピュータに、
管理対象に関する計測を行なうセンサによる計測結果を示すセンサ情報を受信し、受信した前記センサ情報を前記蓄積部に蓄積し、前記蓄積部に蓄積されている前記センサ情報の一部または全部を示す計測情報を作成し、作成した前記計測情報を送信するステップと、
前記蓄積部に蓄積されている前記センサ情報に基づいて前記管理対象に関する判断を行い、判断結果を示す判断情報を作成し、作成した前記判断情報を送信するステップとを実行させるためのプログラムであり、
前記判断情報を送信するステップにおいては、前記計測情報の送信先とは異なる送信先に前記判断情報を送信可能であり、
前記管理プログラムは、さらに、
コンピュータに、
前記計測情報を要求する旨を示す計測情報要求を受信し、受信した前記計測情報要求を前記蓄積部に蓄積するステップを実行させるためのプログラムであり、
前記計測情報を送信するステップにおいては、前記蓄積部に蓄積されている前記センサ情報および前記計測情報要求に基づいて前記計測情報を作成し、
前記判断情報を送信するステップにおいては、前記蓄積部に蓄積されている前記計測情報要求に基づいて、前記計測情報の閲覧状況に関する判断を行い、判断結果を示す前記判断情報を作成し、作成した前記判断情報を送信する、管理プログラム。
【請求項７】
蓄積部を含む管理装置と、メモリを含む端末装置とを備える管理システムにおいて用いられる管理プログラムであって、
コンピュータに、
前記管理装置が、管理対象に関する計測を行なうセンサによる計測結果を示すセンサ情報を受信し、受信した前記センサ情報を蓄積部に蓄積し、前記蓄積部に蓄積されている前記センサ情報の一部または全部を示す計測情報を作成し、作成した前記計測情報を前記端末装置へ送信するステップと、
前記管理装置が、前記蓄積部に蓄積されている前記センサ情報に基づいて前記管理対象に関する判断を行い、判断結果を示す判断情報を作成し、作成した前記判断情報を送信するステップと、
前記端末装置が、前記メモリから読み出したプログラムに従い、前記管理装置から送信された前記判断情報を受信し、受信した前記判断情報を画面に表示するステップとを実行させるためのプログラムであり、
前記判断情報を送信するステップにおいては、前記管理装置が、前記計測情報の送信先とは異なる送信先に前記判断情報を送信可能であり、
前記管理プログラムは、さらに、
コンピュータに、
前記端末装置が、前記メモリから読み出したプログラムに従い、前記計測情報を要求する旨を示す計測情報要求を前記管理装置へ送信するステップと、
前記管理装置が、前記端末装置から送信された前記計測情報要求を受信し、受信した前記計測情報要求を前記蓄積部に蓄積するステップとを実行させるためのプログラムであり、
前記計測情報を送信するステップにおいては、前記管理装置が、受信した前記センサ情報および前記計測情報要求に基づいて前記計測情報を作成し、
前記判断情報を送信するステップにおいては、前記管理装置が、前記計測情報要求に基づいて、前記計測情報の閲覧状況に関する判断を行い、判断結果を示す前記判断情報を作成し、作成した前記判断情報を送信する、管理プログラム。
【発明の詳細な説明】
【技術分野】
【０００１】
本発明は、管理装置、端末装置、管理システム、管理方法、情報処理方法、管理プログラムおよび情報処理プログラムに関し、特に、管理対象に関する計測結果を示す情報の管理を行う管理システムにおける管理装置、端末装置、当該管理システム、管理方法、情報処理方法、管理プログラムおよび情報処理プログラムに関する。
【背景技術】
【０００２】
無線端末装置が通信可能なエリアであるセルを形成する無線基地局装置による通信サービスが提供されており、このような通信サービス等を利用したシステムとして、Ｍ２Ｍ（Ｍａｃｈｉｎｅ  ｔｏ  Ｍａｃｈｉｎｅ）システムが知られている。Ｍ２Ｍシステムでは、たとえば、無線機を搭載した機器同士が人間を介在せずに相互に情報をやり取りすることにより、自動的に機器の制御が行われる。
【０００３】
Ｍ２Ｍシステムの一例として、たとえば、特許文献１（特許第４２３７１３４号公報）には、以下のような技術が開示されている。すなわち、無線端末と、当該無線端末との無線通信が可能なゲートウェイノードと、無線端末の位置情報を保持する位置情報記憶装置とを有する移動体通信ネットワークと、上記無線端末からのメッセージ送信先である端末が接続される他のネットワークとがゲートウェイを介して接続されてなるネットワークシステムである。当該ネットワークシステムは、上記無線端末ごとに予め定めた送信先である上記端末のアドレスを保持する端末アドレス保持手段を有する。上記無線端末から上記端末へメッセージを送信する際には、上記ゲートウェイノードは、上記無線端末より無線フレームを受信すると、上記端末アドレス保持手段にアクセスして、無線端末ごとにメッセージの送信先の端末アドレスを特定し、当該特定した送信先の端末宛に上記ゲートウェイを介してメッセージを送信する。上記端末より上記無線端末へメッセージを送信する際には、上記ゲートウェイは、上記位置情報記憶装置にアクセスし、上記無線端末のＩＤから位置情報を取得し、当該取得した位置情報から該当するゲートウェイノードへメッセージを転送する。当該ゲートウェイノードは、上記無線端末へ上記メッセージを転送する。
【先行技術文献】
【特許文献】
【０００４】
【特許文献１】特許第４２３７１３４号公報
【発明の概要】
【発明が解決しようとする課題】
【０００５】
このようなＭ２Ｍシステムの１つの利用形態として、管理対象に関する計測結果を無線伝送することが可能な１または複数の通信子機を設置し、センサによる計測結果を、通信子機を介して基地局において収集し、収集した計測結果に基づいて管理対象を管理する管理システムが考えられる。
【０００６】
このような管理システムにおいて、管理対象の管理のためのより有用な情報を提供する技術が望まれる。
【０００７】
この発明は、上述の課題を解決するためになされたもので、その目的は、センサによる計測結果を収集し、収集した計測結果に基づいて管理対象を管理可能な管理システムにおいて、管理対象の管理のためのより有用な情報を提供することが可能な管理装置、端末装置、管理システム、管理方法、情報処理方法、管理プログラムおよび情報処理プログラムを提供することである。
【課題を解決するための手段】
【０００８】
（１）上記課題を解決するために、この発明のある局面に係わる管理装置は、管理対象に関する計測を行なうセンサによる計測結果を示すセンサ情報、の一部または全部を示す計測情報を作成し、作成した前記計測情報を提示する制御を行う第１情報処理部と、前記センサ情報に基づいて前記管理対象に関する判断を行い、判断結果を示す判断情報を作成し、作成した前記判断情報を提示する制御を行う第２情報処理部とを備え、前記第２情報処理部は、前記計測情報の提示先とは異なる提示先に前記判断情報を提示可能である。
【０００９】
（４）上記課題を解決するために、この発明のある局面に係わる端末装置は、管理対象に関する計測を行なうセンサによる計測結果を示すセンサ情報、の一部または全部を示す計測情報を管理装置から取得する取得部を備え、前記管理装置は、前記センサ情報に基づいて前記管理対象に関する判断を行い、判断結果を示す判断情報を作成し、作成した前記判断情報を、前記計測情報の提示先である前記端末装置とは異なる提示先に提示可能であり、前記端末装置は、さらに、前記判断情報の内容に関するユーザの指定を受け付ける指定受付部と、前記指定受付部により受け付けられた前記指定の内容を示す指定情報を前記管理装置へ送信する指定情報送信部とを備える。
【００１０】
（５）上記課題を解決するために、この発明のある局面に係わる管理システムは、管理装置と、端末装置とを備え、前記管理装置は、管理対象に関する計測を行なうセンサによる計測結果を示すセンサ情報、の一部または全部を示す計測情報を作成し、作成した前記計測情報を前記端末装置に提示する制御を行い、前記管理装置は、前記センサ情報に基づいて前記管理対象に関する判断を行い、判断結果を示す判断情報を作成し、作成した前記判断情報を提示する制御を行い、前記判断情報を前記計測情報の提示先である前記端末装置とは異なる提示先に提示可能である。
【００１１】
（６）上記課題を解決するために、この発明のある局面に係わる管理方法は、管理装置における管理方法であって、管理対象に関する計測を行なうセンサによる計測結果を示すセンサ情報、の一部または全部を示す計測情報を作成し、作成した前記計測情報を提示する制御を行うステップと、前記センサ情報に基づいて前記管理対象に関する判断を行い、判断結果を示す判断情報を作成し、作成した前記判断情報を提示する制御を行うステップとを含み、前記判断情報を提示する制御を行うステップにおいては、前記計測情報の提示先とは異なる提示先に前記判断情報を提示可能である。
【００１２】
（７）上記課題を解決するために、この発明のある局面に係わる情報処理方法は、端末装置における情報処理方法であって、前記端末装置は、管理対象に関する計測を行なうセンサによる計測結果を示すセンサ情報、の一部または全部を示す計測情報を管理装置から取得し、前記管理装置は、前記センサ情報に基づいて前記管理対象に関する判断を行い、判断結果を示す判断情報を作成し、作成した前記判断情報を、前記計測情報の提示先である前記端末装置とは異なる提示先に提示可能であり、前記情報処理方法は、前記判断情報の内容に関するユーザの指定を受け付けるステップと、受け付けた前記指定の内容を示す指定情報を前記管理装置へ送信するステップとを含む。
【００１３】
（８）上記課題を解決するために、この発明の他の局面に係わる管理方法は、管理装置と端末装置とを備える管理システムにおける管理方法であって、前記管理装置が、管理対象に関する計測を行なうセンサによる計測結果を示すセンサ情報、の一部または全部を示す計測情報を作成し、作成した前記計測情報を前記端末装置に提示する制御を行うステップと、前記管理装置が、前記センサ情報に基づいて前記管理対象に関する判断を行い、判断結果を示す判断情報を作成し、作成した前記判断情報を提示する制御を行うステップとを含み、前記判断情報を提示する制御を行うステップにおいては、前記管理装置が、前記計測情報の提示先とは異なる提示先に前記判断情報を提示可能である。
【００１４】
（９）上記課題を解決するために、この発明のある局面に係わる管理プログラムは、管理装置において用いられる管理プログラムであって、コンピュータに、管理対象に関する計測を行なうセンサによる計測結果を示すセンサ情報、の一部または全部を示す計測情報を作成し、作成した前記計測情報を提示する制御を行うステップと、前記センサ情報に基づいて前記管理対象に関する判断を行い、判断結果を示す判断情報を作成し、作成した前記判断情報を提示する制御を行うステップとを実行させるためのプログラムであり、前記判断情報を提示する制御を行うステップにおいては、前記計測情報の提示先とは異なる提示先に前記判断情報を提示可能である。
【００１５】
（１０）上記課題を解決するために、この発明のある局面に係わる情報処理プログラムは、端末装置において用いられる情報処理プログラムであって、前記端末装置は、管理対象に関する計測を行なうセンサによる計測結果を示すセンサ情報、の一部または全部を示す計測情報を管理装置から取得し、前記管理装置は、前記センサ情報に基づいて前記管理対象に関する判断を行い、判断結果を示す判断情報を作成し、作成した前記判断情報を、前記計測情報の提示先である前記端末装置とは異なる提示先に提示可能であり、コンピュータに、前記判断情報の内容に関するユーザの指定を受け付けるステップと、受け付けた前記指定の内容を示す指定情報を前記管理装置へ送信するステップとを実行させるためのプログラムである。
【００１６】
（１１）上記課題を解決するために、この発明の他の局面に係わる管理プログラムは、管理装置と端末装置とを備える管理システムにおいて用いられる管理プログラムであって、コンピュータに、前記管理装置が、管理対象に関する計測を行なうセンサによる計測結果を示すセンサ情報、の一部または全部を示す計測情報を作成し、作成した前記計測情報を前記端末装置に提示する制御を行うステップと、前記管理装置が、前記センサ情報に基づいて前記管理対象に関する判断を行い、判断結果を示す判断情報を作成し、作成した前記判断情報を提示する制御を行うステップとを実行させるためのプログラムであり、前記判断情報を提示する制御を行うステップにおいては、前記管理装置が、前記計測情報の提示先とは異なる提示先に前記判断情報を提示可能である。
【００１７】
本発明は、このような特徴的な処理部を備える管理装置として実現できるだけでなく、管理装置の一部または全部を実現する半導体集積回路として実現することができる。
【００１８】
また、本発明は、このような特徴的な処理部を備える端末装置として実現できるだけでなく、端末装置の一部または全部を実現する半導体集積回路として実現することができる。
【００１９】
また、本発明は、このような特徴的な処理部を備える管理システムとして実現できるだけでなく、管理システムの一部または全部を実現する半導体集積回路として実現することができる。
【発明の効果】
【００２０】
本発明によれば、センサによる計測結果を収集し、収集した計測結果に基づいて管理対象を管理可能な管理システムにおいて、管理対象の管理のためのより有用な情報を提供することができる。
【図面の簡単な説明】
【００２１】
【図１】図１は、本発明の実施の形態に係る管理システムの構成を示す図である。
【図２】図２は、本発明の実施の形態に係る管理システムにおける管理装置、ユーザ端末装置および他ユーザ端末装置の各構成を示す図である。
【図３】図３は、本発明の実施の形態に係る管理システムによる計測情報の表示までの動作の流れを示すシーケンス図である。
【図４】図４は、本発明の実施の形態に係る管理システムにおける管理装置に蓄積されるセンサ情報の一例を説明するための図である。
【図５】図５は、本発明の実施の形態に係る管理システムにおける管理装置に蓄積される計測情報要求およびその他の情報の一例を説明するための図である。
【図６】図６は、本発明の実施の形態に係る管理システムによる判断情報の表示までの動作の流れを示すシーケンス図である。
【図７】図７（ａ）は、本発明の実施の形態に係る管理システムの管理装置により作成されるユーザ端末装置用の判断情報の例（その１）を示す図であり、図７（ｂ）は、本発明の実施の形態に係る管理システムの管理装置により作成される他ユーザ端末装置用の判断情報の例（その１）を示す図である。
【図８】図８（ａ）は、本発明の実施の形態に係る管理システムの管理装置により作成されるユーザ端末装置用の判断情報の例（その２）を示す図であり、図８（ｂ）は、本発明の実施の形態に係る管理システムの管理装置により作成される他ユーザ端末装置用の判断情報の例（その２）を示す図である。
【図９】図９（ａ）は、本発明の実施の形態に係る管理システムの管理装置により作成されるユーザ端末装置用の判断情報の例（その３）を示す図であり、図９（ｂ）は、本発明の実施の形態に係る管理システムの管理装置により作成される他ユーザ端末装置用の判断情報の例（その３）を示す図である。
【図１０】図１０は、本発明の実施の形態に係る管理システムの変形例における管理装置、ユーザ端末装置および他ユーザ端末装置の各構成を示す図である。
【発明を実施するための形態】
【００２２】
最初に、本発明の実施形態の内容を列記して説明する。
【００２３】
（１）本発明の実施の形態に係る管理装置は、管理対象に関する計測を行なうセンサによる計測結果を示すセンサ情報、の一部または全部を示す計測情報を作成し、作成した前記計測情報を提示する制御を行う第１情報処理部と、前記センサ情報に基づいて前記管理対象に関する判断を行い、判断結果を示す判断情報を作成し、作成した前記判断情報を提示する制御を行う第２情報処理部とを備え、前記第２情報処理部は、前記計測情報の提示先とは異なる提示先に前記判断情報を提示可能である。
【００２４】
このような構成により、計測情報の提示によってユーザＡに有用な情報を提供することができるだけでなく、ユーザＡ以外のユーザＸに判断情報を提示することで、ユーザＸが、製品の改良、メンテナンスの事前予測またはマーケティングなどに有用な情報を得ることができる。従って、センサによる計測結果を収集し、収集した計測結果に基づいて管理対象を管理可能な管理システムにおいて、管理対象の管理のためのより有用な情報を提供することができる。
【００２５】
（２）好ましくは、前記第２情報処理部は、前記判断情報の提示先の別に応じて異なる内容の前記判断情報を作成する。
【００２６】
このような構成により、たとえば、計測情報の提示先であるユーザＡ用の判断情報と、ユーザＡ以外のユーザＸ用の判断情報とを異なる内容に作成して、ユーザＡに固有の情報などがユーザＸに提示されることを防ぐことができる。
【００２７】
また、ユーザＡ以外のユーザが複数存在する場合に、ユーザごとに異なる内容の判断情報を作成し、提示先のユーザにとって不要となる可能性の高い情報が判断情報に含まれないようにすることができるため、有用な情報を効率良く提供することができる。
【００２８】
（３）好ましくは、前記管理装置は、さらに、前記判断情報の内容に関するユーザの指定内容を示す指定情報を取得する指定情報取得部を備え、前記第２情報処理部は、前記指定情報取得部により取得された前記指定情報の示す前記指定内容に基づいて前記判断情報を作成する。
【００２９】
このような構成により、たとえば、計測情報の提示先であるユーザＡは、ユーザＡ以外のユーザＸへの提示を希望しない情報のユーザＸへの提示をより確実に防ぐことができる。
【００３０】
（４）本発明の実施の形態に係る端末装置は、管理対象に関する計測を行なうセンサによる計測結果を示すセンサ情報、の一部または全部を示す計測情報を管理装置から取得する取得部を備え、前記管理装置は、前記センサ情報に基づいて前記管理対象に関する判断を行い、判断結果を示す判断情報を作成し、作成した前記判断情報を、前記計測情報の提示先である前記端末装置とは異なる提示先に提示可能であり、前記端末装置は、さらに、前記判断情報の内容に関するユーザの指定を受け付ける指定受付部と、前記指定受付部により受け付けられた前記指定の内容を示す指定情報を前記管理装置へ送信する指定情報送信部とを備える。
【００３１】
このような構成により、計測情報の提示によってユーザＡに有用な情報を提供することができるだけでなく、ユーザＡ以外のユーザＸに判断情報を提示することで、ユーザＸが、製品の改良、メンテナンスの事前予測またはマーケティングなどに有用な情報を得ることができる。従って、センサによる計測結果を収集し、収集した計測結果に基づいて管理対象を管理可能な管理システムにおいて、管理対象の管理のためのより有用な情報を提供することができる。
【００３２】
また、たとえば、計測情報の提示先であるユーザＡは、ユーザＡ以外のユーザＸへの提示を希望しない情報のユーザＸへの提示をより確実に防ぐことができる。
【００３３】
（５）本発明の実施の形態に係る管理システムは、管理装置と、端末装置とを備え、前記管理装置は、管理対象に関する計測を行なうセンサによる計測結果を示すセンサ情報、の一部または全部を示す計測情報を作成し、作成した前記計測情報を前記端末装置に提示する制御を行い、前記管理装置は、前記センサ情報に基づいて前記管理対象に関する判断を行い、判断結果を示す判断情報を作成し、作成した前記判断情報を提示する制御を行い、前記判断情報を前記計測情報の提示先である前記端末装置とは異なる提示先に提示可能である。
【００３４】
このような構成により、計測情報の提示によってユーザＡに有用な情報を提供することができるだけでなく、ユーザＡ以外のユーザＸに判断情報を提示することで、ユーザＸが、製品の改良、メンテナンスの事前予測またはマーケティングなどに有用な情報を得ることができる。従って、センサによる計測結果を収集し、収集した計測結果に基づいて管理対象を管理可能な管理システムにおいて、管理対象の管理のためのより有用な情報を提供することができる。
【００３５】
（６）本発明の実施の形態に係る管理方法は、管理装置における管理方法であって、管理対象に関する計測を行なうセンサによる計測結果を示すセンサ情報、の一部または全部を示す計測情報を作成し、作成した前記計測情報を提示する制御を行うステップと、前記センサ情報に基づいて前記管理対象に関する判断を行い、判断結果を示す判断情報を作成し、作成した前記判断情報を提示する制御を行うステップとを含み、前記判断情報を提示する制御を行うステップにおいては、前記計測情報の提示先とは異なる提示先に前記判断情報を提示可能である。
【００３６】
これにより、計測情報の提示によってユーザＡに有用な情報を提供することができるだけでなく、ユーザＡ以外のユーザＸに判断情報を提示することで、ユーザＸが、製品の改良、メンテナンスの事前予測またはマーケティングなどに有用な情報を得ることができる。従って、センサによる計測結果を収集し、収集した計測結果に基づいて管理対象を管理可能な管理システムにおいて、管理対象の管理のためのより有用な情報を提供することができる。
【００３７】
（７）本発明の実施の形態に係る情報処理方法は、端末装置における情報処理方法であって、前記端末装置は、管理対象に関する計測を行なうセンサによる計測結果を示すセンサ情報、の一部または全部を示す計測情報を管理装置から取得し、前記管理装置は、前記センサ情報に基づいて前記管理対象に関する判断を行い、判断結果を示す判断情報を作成し、作成した前記判断情報を、前記計測情報の提示先である前記端末装置とは異なる提示先に提示可能であり、前記情報処理方法は、前記判断情報の内容に関するユーザの指定を受け付けるステップと、受け付けた前記指定の内容を示す指定情報を前記管理装置へ送信するステップとを含む。
【００３８】
これにより、計測情報の提示によってユーザＡに有用な情報を提供することができるだけでなく、ユーザＡ以外のユーザＸに判断情報を提示することで、ユーザＸが、製品の改良、メンテナンスの事前予測またはマーケティングなどに有用な情報を得ることができる。従って、センサによる計測結果を収集し、収集した計測結果に基づいて管理対象を管理可能な管理システムにおいて、管理対象の管理のためのより有用な情報を提供することができる。
【００３９】
また、たとえば、計測情報の提示先であるユーザＡは、ユーザＡ以外のユーザＸへの提示を希望しない情報のユーザＸへの提示をより確実に防ぐことができる。
【００４０】
（８）本発明の実施の形態に係る管理方法は、管理装置と端末装置とを備える管理システムにおける管理方法であって、前記管理装置が、管理対象に関する計測を行なうセンサによる計測結果を示すセンサ情報、の一部または全部を示す計測情報を作成し、作成した前記計測情報を前記端末装置に提示する制御を行うステップと、前記管理装置が、前記センサ情報に基づいて前記管理対象に関する判断を行い、判断結果を示す判断情報を作成し、作成した前記判断情報を提示する制御を行うステップとを含み、前記判断情報を提示する制御を行うステップにおいては、前記管理装置が、前記計測情報の提示先とは異なる提示先に前記判断情報を提示可能である。
【００４１】
これにより、計測情報の提示によってユーザＡに有用な情報を提供することができるだけでなく、ユーザＡ以外のユーザＸに判断情報を提示することで、ユーザＸが、製品の改良、メンテナンスの事前予測またはマーケティングなどに有用な情報を得ることができる。従って、センサによる計測結果を収集し、収集した計測結果に基づいて管理対象を管理可能な管理システムにおいて、管理対象の管理のためのより有用な情報を提供することができる。
【００４２】
（９）本発明の実施の形態に係る管理プログラムは、管理装置において用いられる管理プログラムであって、コンピュータに、管理対象に関する計測を行なうセンサによる計測結果を示すセンサ情報、の一部または全部を示す計測情報を作成し、作成した前記計測情報を提示する制御を行うステップと、前記センサ情報に基づいて前記管理対象に関する判断を行い、判断結果を示す判断情報を作成し、作成した前記判断情報を提示する制御を行うステップとを実行させるためのプログラムであり、前記判断情報を提示する制御を行うステップにおいては、前記計測情報の提示先とは異なる提示先に前記判断情報を提示可能である。
【００４３】
これにより、計測情報の提示によってユーザＡに有用な情報を提供することができるだけでなく、ユーザＡ以外のユーザＸに判断情報を提示することで、ユーザＸが、製品の改良、メンテナンスの事前予測またはマーケティングなどに有用な情報を得ることができる。従って、センサによる計測結果を収集し、収集した計測結果に基づいて管理対象を管理可能な管理システムにおいて、管理対象の管理のためのより有用な情報を提供することができる。
【００４４】
（１０）本発明の実施の形態に係る情報処理プログラムは、端末装置において用いられる情報処理プログラムであって、前記端末装置は、管理対象に関する計測を行なうセンサによる計測結果を示すセンサ情報、の一部または全部を示す計測情報を管理装置から取得し、前記管理装置は、前記センサ情報に基づいて前記管理対象に関する判断を行い、判断結果を示す判断情報を作成し、作成した前記判断情報を、前記計測情報の提示先である前記端末装置とは異なる提示先に提示可能であり、コンピュータに、前記判断情報の内容に関するユーザの指定を受け付けるステップと、受け付けた前記指定の内容を示す指定情報を前記管理装置へ送信するステップとを実行させるためのプログラムである。
【００４５】
これにより、計測情報の提示によってユーザＡに有用な情報を提供することができるだけでなく、ユーザＡ以外のユーザＸに判断情報を提示することで、ユーザＸが、製品の改良、メンテナンスの事前予測またはマーケティングなどに有用な情報を得ることができる。従って、センサによる計測結果を収集し、収集した計測結果に基づいて管理対象を管理可能な管理システムにおいて、管理対象の管理のためのより有用な情報を提供することができる。
【００４６】
また、たとえば、計測情報の提示先であるユーザＡは、ユーザＡ以外のユーザＸへの提示を希望しない情報のユーザＸへの提示をより確実に防ぐことができる。
【００４７】
（１１）本発明の実施の形態に係る管理プログラムは、管理装置と端末装置とを備える管理システムにおいて用いられる管理プログラムであって、コンピュータに、前記管理装置が、管理対象に関する計測を行なうセンサによる計測結果を示すセンサ情報、の一部または全部を示す計測情報を作成し、作成した前記計測情報を前記端末装置に提示する制御を行うステップと、前記管理装置が、前記センサ情報に基づいて前記管理対象に関する判断を行い、判断結果を示す判断情報を作成し、作成した前記判断情報を提示する制御を行うステップとを実行させるためのプログラムであり、前記判断情報を提示する制御を行うステップにおいては、前記管理装置が、前記計測情報の提示先とは異なる提示先に前記判断情報を提示可能である。
【００４８】
これにより、計測情報の提示によってユーザＡに有用な情報を提供することができるだけでなく、ユーザＡ以外のユーザＸに判断情報を提示することで、ユーザＸが、製品の改良、メンテナンスの事前予測またはマーケティングなどに有用な情報を得ることができる。従って、センサによる計測結果を収集し、収集した計測結果に基づいて管理対象を管理可能な管理システムにおいて、管理対象の管理のためのより有用な情報を提供することができる。
【００４９】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００５０】
［構成および基本動作］
（管理システムの構成）
図１は、本発明の実施の形態に係る管理システムの構成を示す図である。
【００５１】
図１を参照して、管理システム３０１は、基地局１０１と、１または複数の通信子機１０２と、管理装置１１２と、ユーザ端末装置（端末装置）１５１と、他ユーザ端末装置１５２，１５３とを備える。
【００５２】
管理システム３０１は、たとえば事業者の工場および事務所に設置される。たとえば、管理システム３０１は、工場における産業材料１６２の温度および湿度などの管理を行なう。この例では、基地局１０１および通信子機１０２は工場に設けられ、ユーザ端末装置１５１は事務所に設けられ、工場における設備などの管理対象のリモート管理を行う。
【００５３】
また、この例では、他ユーザ端末装置１５２は、ユーザ端末装置１５１が設けられている事務所と同じ事務所に設けられ、管理対象に関してユーザ端末装置１５１とは異なる内容の管理を行う。また、この例では、他ユーザ端末装置１５３は、工場において管理対象の製造工程において用いられる設備のベンダなどに設けられている。
【００５４】
具体的には、ユーザ端末装置１５１は、管理システム３０１により計測される情報を取得して管理対象の管理を行う端末装置として、管理装置１１２に予め登録された端末装置である。これに対して、他ユーザ端末装置１５２，１５３は、このような登録がなされていない端末装置である。
【００５５】
なお、管理システム３０１は、１つのユーザ端末装置１５１を備える構成に限らず、たとえば互いに異なる管理対象の管理を行う複数のユーザ端末装置１５１を備える構成であっても良い。また、管理システム３０１は、他ユーザ端末装置１５２，１５３のいずれか一方を備える構成であっても良いし、複数の他ユーザ端末装置１５２または複数の他ユーザ端末装置１５３を備える構成であっても良い。
【００５６】
通信子機１０２は、１または複数のセンサを有し、各センサは、管理対象たとえば工場に保管されている産業材料１６２に関する計測を行う。通信子機１０２は、自己の各センサによる計測結果を示すセンサ情報および各センサのＩＤ（Ｉｄｅｎｔｉｆｉｃａｔｉｏｎ）（以下、「センサＩＤ」と称する）を含む無線信号を基地局１０１へ送信する。より詳細には、通信子機１０２の各センサは、工場におけるコンテナ１６１内に設けられ、コンテナ１６１内における産業材料１６２の温度および湿度などを計測する。
【００５７】
図１では、一例として、工場内に複数のコンテナ１６１が設けられ、通信子機１０２が対応のコンテナ１６１内に設置されている場合を示している。なお、通信子機１０２は、センサ情報を含む無線信号を基地局１０１へ送信する構成に限らず、複数の通信子機１０２の一部または全部がセンサ情報を基地局１０１へ有線伝送する構成であっても良い。
【００５８】
基地局１０１は、各通信子機１０２から無線信号を受信し、受信した無線信号に含まれるセンサ情報およびセンサＩＤをイーサネット（登録商標）または無線ＬＡＮ（Ｌｏｃａｌ  Ａｒｅａ  Ｎｅｔｗｏｒｋ）などのネットワーク１７１経由で管理装置１１２へ送信する。たとえば、基地局１０１は、センサ情報にタイムスタンプなどの時刻情報、および無線通信品質（ＬＱＩ：Ｌｉｎｋ  Ｑｕｌｉｔｙ  Ｉｎｄｉｃａｔｉｏｎ）などを付加して管理装置１１２へ送信する。ここで、ＬＱＩは、たとえば値が大きいほど良好な品質であることを示す。なお、管理システム３０１には、複数の基地局１０１が設けられていても良い。
【００５９】
管理装置１１２は、たとえばサーバまたはＰＣ（Ｐｅｒｓｏｎａｌ  Ｃｏｍｐｕｔｅｒ）であり、基地局１０１から送信されたセンサ情報およびセンサＩＤを受信し、受信したセンサ情報およびセンサＩＤを対応づけて蓄積する。たとえば、センサ情報およびセンサＩＤは、データベース化されて管理装置１１２に蓄積される。
【００６０】
また、管理装置１１２は、蓄積したセンサ情報およびセンサＩＤに基づいて、センサ情報の一部または全部を示す計測情報を作成する。そして、管理装置１１２は、作成した計測情報を、ネットワーク１７１経由でユーザ端末装置１５１へ送信する。
【００６１】
たとえば、管理装置１１２は、ユーザ端末装置１５１のＩＤと、ユーザ端末装置１５１の管理対象の計測を行うセンサのセンサＩＤとを対応づけて記憶する。そして、管理装置１１２は、蓄積しているセンサ情報のうち、ユーザ端末装置１５１と対応づけられたセンサＩＤのセンサによるセンサ情報に基づいて計測情報を作成し、作成した計測情報をネットワーク１７１経由でユーザ端末装置１５１へ送信する。
【００６２】
この計測情報は、たとえば、管理システム３０１により計測される情報を取得して管理対象の管理を行う端末装置として管理装置１１２に予め登録されたユーザ端末装置１５１へ送信され、他ユーザ端末装置１５２，１５３への送信は制限されている。
【００６３】
なお、計測情報は、センサ情報に対して何らかの演算などが行われたデータであってもよいし、センサ情報の一部または全部と同じ内容のデータであってもよい。さらに、計測情報には、センサ情報とは異なる種類の情報が含まれていても良い。
【００６４】
また、管理装置１１２は、１か月ごとまたは１週間ごとなど所定時間ごとに、蓄積しているセンサ情報に基づいて管理対象に関する判断を行い、判断結果を示す判断情報を作成する。たとえば、管理装置１１２は、センサ情報が所定条件を満たす場合、工場内の設備に異常が生じていると判断し、異常が生じていると判断した回数をカウントして１週間ごとに集計し、リセットする。そして、管理装置１１２は、このようにして集計した値を１か月分のデータとしてまとめた判断情報を作成する。そして、管理装置１１２は、作成した判断情報をネットワーク１７１経由でユーザ端末装置１５１へ送信する。
【００６５】
また、管理装置１１２は、作成した判断情報を、ユーザ端末装置１５１だけでなく、ネットワーク１７１経由で他ユーザ端末装置１５２，１５３へ送信することができる。たとえば、管理装置１１２は、判断情報の送信先として他ユーザ端末装置１５２，１５３のＩＤを予め記憶し、これら他ユーザ端末装置１５２，１５３へ当該ＩＤを含めた判断情報を送信することができる。そして、他ユーザ端末装置１５２，１５３は、自己のＩＤが含まれる判断情報を識別して受信することができる。
【００６６】
また、管理装置１１２は、他ユーザ端末装置１５２，１５３からの要求に応じて判断情報を他ユーザ端末装置１５２，１５３へそれぞれ送信しても良い。
【００６７】
なお、ユーザ端末装置１５１および他ユーザ端末装置１５２，１５３は、たとえば、ＰＣまたはタブレットなどの携帯端末であり、管理装置１１２から受信した計測情報または判断情報を自己の画面に表示する。
【００６８】
また、通信子機１０２のセンサは、温度および湿度だけでなく、たとえば、気圧、加速度、角度、角速度、磁力、照度、電圧、電流、二酸化炭素濃度および一酸化炭素ガス濃度のうちのいずれかの種類の計測を行っても良い。
【００６９】
（管理装置、ユーザ端末装置および他ユーザ端末装置の各構成）
図２は、本発明の実施の形態に係る管理システムにおける管理装置、ユーザ端末装置および他ユーザ端末装置の各構成を示す図である。たとえば、他ユーザ端末装置１５２の構成と他ユーザ端末装置１５３の構成とは同様である。
【００７０】
（ａ）管理装置
図２を参照して、管理装置１１２は、センサ情報受信部２１と、計測情報処理部（第１情報処理部）２２と、判断情報処理部（第２情報処理部）２３と、蓄積部２４とを備える。
【００７１】
センサ情報受信部２１は、基地局１０１から送信されたセンサ情報およびセンサＩＤを受信し、受信したセンサ情報およびセンサＩＤを対応づけて蓄積部２４へ出力する。これにより、蓄積部２４には、センサ情報およびセンサＩＤが蓄積される。
【００７２】
蓄積部２４には、センサ情報およびセンサＩＤに加えて、さらに、ユーザ端末装置１５１および他ユーザ端末装置１５２，１５３のＩＤ、ならびに、ユーザ端末装置１５１とユーザ端末装置１５１の管理対象の計測を行うセンサのセンサＩＤとの対応関係などが記憶されている。なお、蓄積部２４は、管理装置１１２の外部に設けられても良い。
【００７３】
計測情報処理部２２は、たとえば、計測情報を要求する旨を示す計測情報要求を受信する。この計測情報要求には、送信元のＩＤおよびセンサ情報の種類を示す情報などが含まれる。計測情報処理部２２は、計測情報要求を受信すると、受信した計測情報要求を蓄積部２４へ出力する。そして、蓄積部２４には、計測情報要求が蓄積される。
【００７４】
また、計測情報処理部２２は、蓄積部２４に記憶されている端末装置のＩＤを参照して、計測情報要求に含まれている送信元のＩＤが、管理システム３０１による計測情報を取得して管理対象の管理を行う端末装置として登録されているユーザ端末装置１５１のＩＤと一致するか否かを確認する。
【００７５】
そして、計測情報処理部２２は、計測情報要求に含まれている送信元のＩＤがユーザ端末装置１５１のＩＤと一致する場合、計測情報を作成し、作成した計測情報を提示する制御を行う。より詳細には、計測情報処理部２２は、蓄積部２４に蓄積されているセンサ情報のうち、ユーザ端末装置１５１と対応づけられたセンサＩＤのセンサによるセンサ情報であって、当該計測情報要求に含まれている種類のセンサ情報を抽出する。そして、計測情報処理部２２は、抽出したセンサ情報に基づいて計測情報を作成し、作成した計測情報をユーザ端末装置１５１へ送信する。
【００７６】
判断情報処理部２３は、たとえば所定時間ごとに、蓄積部２４に蓄積されているセンサ情報に基づいて判断情報を作成し、作成した判断情報を提示する制御を行う。
【００７７】
たとえば、判断情報処理部２３は、判断情報の送信先の別に応じて異なる内容の判断情報を作成する。なお、判断情報の内容、すなわち判断情報に含まれる情報は、たとえば、判断情報の送信先ごとに予め定められ、定められた内容を示す情報が蓄積部２４に記憶されている。
【００７８】
たとえば、判断情報処理部２３は、ユーザ端末装置１５１へ送信する判断情報として、ユーザ端末装置１５１に対応づけられているセンサＩＤのセンサによるセンサ情報に基づく判断情報を作成する。そして、判断情報処理部２３は、当該判断情報に、当該判断情報の作成に用いた各センサ情報を計測した各センサのセンサＩＤおよび設置場所など、ユーザ端末装置１５１のユーザに固有の詳細な情報を含める。
【００７９】
また、判断情報処理部２３は、他ユーザ端末装置１５２，１５３へ送信する判断情報として、たとえば、ユーザ端末装置１５１に対応づけられているセンサＩＤのセンサによるセンサ情報に基づく判断情報を作成する。そして、判断情報処理部２３は、当該判断情報には上記のようなユーザ端末装置１５１のユーザに固有の詳細な情報を含めないと判断する。
【００８０】
そして、判断情報処理部２３は、作成した各判断情報を、それぞれ対応する送信先であるユーザ端末装置１５１および他ユーザ端末装置１５２，１５３へ送信する。
【００８１】
なお、判断情報処理部２３は、他ユーザ端末装置１５２用の判断情報と、他ユーザ端末装置１５３用の判断情報とを異なる内容に作成することもできる。たとえば、判断情報処理部２３は、ユーザ端末装置１５１と同じ事務所に設けられている他ユーザ端末装置１５２用の判断情報にはユーザ端末装置１５１のユーザに固有の詳細な情報の一部または全部を含め、設備のベンダなどに設けられている他ユーザ端末装置１５３用の判断情報にはユーザ端末装置１５１のユーザに固有の詳細な情報を含めない。
【００８２】
（ｂ）ユーザ端末装置
ユーザ端末装置１５１は、入力受付部３１と、計測情報通信部（取得部）３２と、表示部３３と、判断情報通信部３４とを備える。
【００８３】
入力受付部３１は、ユーザによるセンサ情報の種類の入力を受け付け、受け付けたセンサ情報の種類を示す情報を計測情報通信部３２へ出力する。具体的には、選択可能な複数のセンサ情報の種類が表示部３３により画面に表示され、ユーザがマウスまたはキーボードを用いて画面の中から１または複数の種類のセンサ情報を選択すると、入力受付部３１は、選択された種類を示す情報を計測情報通信部３２へ出力する。
【００８４】
計測情報通信部３２は、入力受付部３１から受けたセンサ情報の種類と、自己のユーザ端末装置１５１のＩＤとを含む計測情報要求を管理装置１１２へ送信する。また、計測情報通信部３２は、送信した計測情報要求に従って作成された計測情報を管理装置１１２から受信し、受信した計測情報を表示部３３へ出力する。表示部３３は、計測情報通信部１２から受けた計測情報を画面に表示する。
【００８５】
判断情報通信部３４は、管理装置１１２により作成された判断情報を管理装置１１２から受信し、受信した判断情報を表示部３３へ出力する。表示部３３は、判断情報通信部３４から受けた判断情報を画面に表示する。
【００８６】
なお、同じ種類の計測を行うセンサが２つ以上設けられていることがある。このため、たとえば、表示部３３は、センサ情報の種類と共に、各センサ情報を計測するセンサのセンサＩＤを画面に表示しても良い。そして、入力受付部３１は、ユーザによるセンサ情報の種類およびセンサＩＤの入力を受け付け、これらセンサ情報の種類およびセンサＩＤと、ユーザ端末装置１５１のＩＤとを含む計測情報要求が、管理装置１１２へ送信されても良い。
【００８７】
また、ユーザは、計測情報に含まれるセンサ情報の測定期間を指定することができる。たとえば、入力受付部３１は、センサ情報の種類、センサＩＤおよびセンサ情報の測定期間のユーザによる入力を受け付け、これらセンサ情報の種類、センサＩＤおよびセンサ情報の測定期間を含む計測情報要求が管理装置１１２へ送信されても良い。
【００８８】
（ｃ）他ユーザ端末装置
他ユーザ端末装置１５２，１５３は、判断情報通信部４１と、表示部４２とを備える。判断情報通信部４１は、管理装置１１２により作成された判断情報を管理装置１１２から受信し、受信した判断情報を表示部４２へ出力する。表示部４２は、判断情報通信部４１から受けた判断情報を画面に表示する。
【００８９】
［動作］
次に、本発明の実施の形態に係る管理システムによる動作の流れについて図面を用いて説明する。
【００９０】
管理システム３０１における各装置は、コンピュータを備え、当該コンピュータにおけるＣＰＵ等の演算処理部は、以下のシーケンスの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【００９１】
（計測情報の表示までの動作の流れ）
図３は、本発明の実施の形態に係る管理システムによる計測情報の表示までの動作の流れを示すシーケンス図である。
【００９２】
図３を参照して、まず、通信子機１０２のセンサは、たとえば所定の計測タイミングにおいて、管理対象に関する計測を行なう（ステップＳ１１）。
【００９３】
次に、通信子機１０２は、センサによる計測結果を示すセンサ情報を作成し（ステップＳ１２）、作成したセンサ情報を無線信号に含めて基地局１０１へ送信する（ステップＳ１３）。
【００９４】
次に、基地局１０１は、通信子機１０２から送信された無線信号を受信し、受信した無線信号からセンサ情報を取得する受信処理を行なう（ステップＳ１４）。そして、基地局１０１は、取得したセンサ情報を管理装置１１２へ送信する（ステップＳ１５）。
【００９５】
次に、管理装置１１２は、基地局１０１から受信したセンサ情報を保存する処理を行う。これにより、センサ情報が管理装置１１２に蓄積される（ステップＳ１６）。
【００９６】
次に、ユーザ端末装置１５１がユーザからのセンサ情報の種類の入力を受け付けると、ユーザ端末装置１５１は、当該種類を示す情報および自己のＩＤを含む計測情報要求を管理装置１１２へ送信する（ステップＳ１７）。
【００９７】
次に、管理装置１１２は、ユーザ端末装置１５１から計測情報要求を受信し、受信した計測情報要求の送信元のＩＤが、計測情報の送信先として予め登録されているユーザ端末装置１５１のＩＤと一致するか否かを確認する（ステップＳ１８）。ここでは、計測情報要求の送信元がユーザ端末装置１５１であるため、計測情報要求の送信元のＩＤと、予め登録されているユーザ端末装置１５１のＩＤとが一致する。
【００９８】
次に、管理装置１１２は、当該計測情報要求を保存する処理を行う。これにより、計測情報要求が管理装置１１２に蓄積される（ステップＳ１９）。
【００９９】
次に、管理装置１１２は、蓄積しているセンサ情報のうち、ユーザ端末装置１５１と対応づけられたセンサＩＤのセンサによるセンサ情報であって、当該計測情報要求に含まれている種類のセンサ情報に基づいて計測情報を作成する（ステップＳ２０）。
【０１００】
次に、管理装置１１２は、作成した計測情報をユーザ端末装置１５１へ送信する（ステップＳ２１）。そして、ユーザ端末装置１５１は、管理装置１１２から受信した計測情報を画面に表示する（ステップＳ２２）。
【０１０１】
（センサ情報、計測情報要求および計測情報の例）
図４は、本発明の実施の形態に係る管理システムにおける管理装置に蓄積されるセンサ情報の一例を説明するための図である。図５は、本発明の実施の形態に係る管理システムにおける管理装置に蓄積される計測情報要求およびその他の情報の一例を説明するための図である。
【０１０２】
図４に示すように、管理装置１１２は、たとえば、センサによる測定日時、センサのセンサＩＤ、センサ情報の種類、センサの設置場所および測定値を含むセンサ情報を基地局１０１から受信する。管理装置１１２は、このようなセンサ情報を受信する度に当該センサ情報を蓄積していく。
【０１０３】
また、管理装置１１２は、たとえば、送信元のＩＤ、センサＩＤ、センサ情報の種類およびセンサ情報の測定期間を含む計測情報要求をユーザ端末装置１５１から受信し、図５に示すように、受信した計測情報要求に含まれる情報と、当該計測情報要求を受信した日時および当該計測情報要求の送信元のＩＤとを、計測情報要求を受信する度に蓄積していく。
【０１０４】
そして、管理装置１１２は、計測情報要求を受信すると、蓄積しているセンサ情報および当該計測情報要求に基づいて、計測情報を作成する。たとえば、管理装置１１２が、ユーザ端末装置１５１のＩＤが「１０１３４１４」であって、センサＩＤ「８０２１１３４」、センサ情報の種類「温度」、および、センサ情報の測定期間「２０１４年２月１０日  ０時０分０秒〜２０１４年３月１０日  ０時０分０秒」を含む計測情報要求をユーザ端末装置１５１から受信したとする。
【０１０５】
この場合、管理装置１１２は、蓄積しているセンサ情報の中から、測定日時が「２０１４年２月１０日  ０時０分０秒〜２０１４年３月１０日  ０時０分０秒」に含まれ、かつ、センサＩＤが「８０２１１３４」であってセンサ情報の種類が「温度」であるセンサ情報、すなわち図４に示す例では、「２０１４年２月１４日  ３時２分２９．０１秒」に測定されたセンサ情報、および、「２０１４年２月１４日  ３時２分３１．０１秒」に測定されたセンサ情報などを抽出する。
【０１０６】
そして、管理装置１１２は、抽出したセンサ情報を用いて、測定期間「２０１４年２月１０日  ０時０分０秒〜２０１４年３月１０日  ０時０分０秒」の期間においてセンサＩＤ「８０２１１３４」により測定された温度の測定値の時間的変化を示すグラフなどを計測情報として作成する。
【０１０７】
（判断情報の表示までの動作の流れ）
次に、本発明の実施の形態に係る管理システムによる判断情報の表示までの動作の流れについて図面を用いて説明する。
【０１０８】
図６は、本発明の実施の形態に係る管理システムによる判断情報の表示までの動作の流れを示すシーケンス図である。
【０１０９】
図６を参照して、まず、管理装置１１２は、蓄積しているセンサ情報に基づいて、ユーザ端末装置１５１用の判断情報を作成する（ステップＳ３１）。
【０１１０】
次に、管理装置１１２は、作成した判断情報をユーザ端末装置１５１へ送信する（ステップＳ３２）。そして、ユーザ端末装置１５１は、管理装置１１２から受信した判断情報を画面に表示する（ステップＳ３３）。
【０１１１】
次に、管理装置１１２は、蓄積しているセンサ情報に基づいて、他ユーザ端末装置１５２および他ユーザ端末装置１５３用の判断情報を作成する（ステップＳ３４）。
【０１１２】
次に、管理装置１１２は、作成した判断情報を他ユーザ端末装置１５２および他ユーザ端末装置１５３へ送信する（ステップＳ３５）。そして、他ユーザ端末装置１５２および他ユーザ端末装置１５３は、管理装置１１２から受信した判断情報を画面に表示する（ステップＳ３６およびステップＳ３７）。
【０１１３】
なお、ここでは、管理装置１１２が、ユーザ端末装置１５１用の判断情報と、他ユーザ端末装置１５２，１５３用の判断情報とを異なるタイミングで作成して送信する場合について説明したが、管理装置１１２は、これらの判断情報を同じタイミングで作成し、送信しても良い。また、管理装置１１２は、他ユーザ端末装置１５２用の判断情報と、他ユーザ端末装置１５３用の判断情報とを異なるタイミングで作成し、送信しても良い。
【０１１４】
（判断情報の例（その１））
図７（ａ）は、本発明の実施の形態に係る管理システムの管理装置により作成されるユーザ端末装置用の判断情報の例（その１）を示す図である。また、図７（ｂ）は、本発明の実施の形態に係る管理システムの管理装置により作成される他ユーザ端末装置用の判断情報の例（その１）を示す図である。
【０１１５】
図７（ａ）に示すように、管理装置１１２は、たとえば、ユーザ端末装置１５１に対応づけられているセンサＩＤのセンサによる温度の計測値が所定値以上である場合には、設備Ａが稼働していると判断する。そして、管理装置１１２は、当該センサによるセンサ情報に基づいて、設備Ａの１週間ごとの稼働時間の合計数をカウントして１か月分のデータとしてまとめた情報をユーザ端末装置１５１用の判断情報として作成する。
【０１１６】
このとき、管理装置１１２は、この判断情報に、当該センサのセンサＩＤおよび設置場所などの詳細な情報を含める。これにより、設備Ａを用いて製造される管理対象の管理かどを行うユーザ端末装置１５１のユーザは、ユーザ端末装置１５１の画面に表示される詳細な判断情報を確認することで設備Ａの稼働状況などの把握を容易に行うことができるため、作業時間などを短縮することができる。
【０１１７】
また、図７（ｂ）に示すように、計測情報１１２は、他ユーザ端末装置１５２，１５３用の判断情報として、たとえば、ユーザ端末装置１５１用の判断情報と同様に、ユーザ端末装置１５１に対応づけられているセンサＩＤのセンサによるセンサ情報に基づいて、設備Ａの１週間ごとの稼働時間の合計数を１か月分のデータとしてまとめた情報を作成する。
【０１１８】
このとき、管理装置１１２は、当該判断情報にはセンサのセンサＩＤを含めなかったり、センサの設置場所を広いエリアで表記したりする。これにより、他ユーザ端末装置１５２のユーザは、どのセンサがどこに設置されているかなどユーザ端末装置１５１のユーザに固有の詳細な情報を得ることはできないものの、設備Ａの稼働状況などの情報を管理対象の管理に利用することができる。
【０１１９】
また、他ユーザ端末装置１５３のユーザは、他ユーザ端末装置１５２のユーザと同様に、どのセンサがどこに設置されているかなどユーザ端末装置１５１のユーザに固有の詳細な情報を得ることはできないものの、設備Ａの稼働状況などの情報を、設備Ａの改良、設備Ａのメンテナンスの事前予測または設備Ａに関するマーケティングなどに利用することができる。
【０１２０】
また、他ユーザ端末装置１５２，１５３のユーザが、たとえば、管理システム３０１の利用料金の一部をユーザ端末装置１５１のユーザの代わりに支払うなど、判断情報の提示を受けることの対価をユーザ端末装置１５１のユーザに提供することにより、ユーザ端末装置１５１のユーザは、設備の稼働状況などを容易に把握できることに加えて、さらに利益を得ることができる。
【０１２１】
なお、管理装置１１２は、管理システム３０１に複数のユーザ端末装置１５１が設けられている場合、ユーザ端末装置１５１ごとに、対応づけられているセンサＩＤのセンサによるセンサ情報に基づいて設備の稼働時間を示す判断情報を作成することができる。そして、管理装置１１２は、作成した複数の判断情報を、それぞれ対応するユーザ端末装置１５１へ送信することができる。
【０１２２】
また、管理装置１１２は、管理システム３０１に複数のユーザ端末装置１５１が設けられている場合、工場内に設置された全てのセンサによるセンサ情報に基づいて、工場内の全ての設備の稼働時間を示す判断情報を作成し、作成した判断情報をユーザ端末装置１５１および他ユーザ端末装置１５２，１５３へ送信することも可能である。
【０１２３】
さらに、管理装置１１２は、管理システム３０１に複数のユーザ端末装置１５１が設けられている場合、複数のユーザ端末装置１５１の組合せごとに、対応づけられているセンサＩＤのセンサによるセンサ情報に基づいて設備の稼働時間を示す判断情報を作成することができる。そして、管理装置１１２は、作成した複数の判断情報を、それぞれ対応する各組合せに含まれる各ユーザ端末装置１５１へ送信することができる。
【０１２４】
（判断情報の例（その２））
図８（ａ）は、本発明の実施の形態に係る管理システムの管理装置により作成されるユーザ端末装置用の判断情報の例（その２）を示す図である。また、図８（ｂ）は、本発明の実施の形態に係る管理システムの管理装置により作成される他ユーザ端末装置用の判断情報の例（その２）を示す図である。
【０１２５】
図８（ａ）に示すように、管理装置１１２は、たとえば、工場内の各設備について、ユーザによる計測情報の閲覧状況に関して判断し、判断結果を示す情報をユーザ端末装置１５１用の判断情報として作成する。
【０１２６】
具体的には、管理装置１１２は、蓄積している計測情報要求を参照して、１か月間にユーザ端末装置１５１から受信した計測情報要求の数をセンサＩＤごとにカウントする。そして、管理装置１１２は、カウント数と各センサＩＤのセンサが取り付けられている設備とを対応づけたグラフなどを判断情報として作成する。
【０１２７】
このとき、管理装置１１２は、この判断情報に、各設備に取り付けられているセンサのセンサＩＤ、および、各センサの設置場所などのユーザ端末装置１５１のユーザに固有の詳細な情報を含める。これにより、ユーザ端末装置１５１のユーザは、ユーザ端末装置１５１の画面に表示される詳細な判断情報を確認することで、自己の計測情報の利用傾向などを把握することができる。
【０１２８】
また、図８（ｂ）に示すように、管理装置１１２は、たとえば、ユーザ端末装置１５１用の判断情報と同様に、工場内の各設備について、ユーザによる計測情報の閲覧状況に関して判断し、判断結果を示す情報を他ユーザ端末装置１５２，１５３用の判断情報として作成する。
【０１２９】
このとき、管理装置１１２は、当該判断情報にはセンサのセンサＩＤを含めなかったり、センサの設置場所を広いエリアで表記したりする。
【０１３０】
ここで、ユーザ端末装置１５１のユーザによる計測情報の閲覧回数が多い設備ほど、当該ユーザによる関心が高く、正常に動作していないなどの問題が生じている可能性が高い。
【０１３１】
このため、他ユーザ端末装置１５２，１５３のユーザは、図８（ｂ）に示すような判断情報を確認することで、工場内に設置されている複数の設備のうち問題が生じる可能性の高い設備などを把握して、設備の改良、設備のメンテナンスの事前予測または設備に関するマーケティングなどを行うことができる。
【０１３２】
（判断情報の例（その３））
図９（ａ）は、本発明の実施の形態に係る管理システムの管理装置により作成されるユーザ端末装置用の判断情報の例（その３）を示す図である。また、図９（ｂ）は、本発明の実施の形態に係る管理システムの管理装置により作成される他ユーザ端末装置用の判断情報の例（その３）を示す図である。
【０１３３】
図９（ａ）に示すように、管理装置１１２は、たとえば、ユーザにより並行または連続して行われた計測情報の閲覧状況に関して判断し、判断結果を示す情報をユーザ端末装置１５１用の判断情報として作成する。
【０１３４】
具体的には、管理装置１１２は、蓄積している計測情報要求を参照して、１か月間にユーザ端末装置１５１から受信した複数の計測情報要求のうち並行してまたは連続して受信した各計測情報要求に含まれるセンサＩＤの組合せを抽出する。そして、管理装置１１２は、抽出したセンサＩＤの各組合せの数をカウントし、カウント数と、組合せに含まれる各センサＩＤのセンサが取り付けられている設備とを対応づけたグラフなどを作成する。
【０１３５】
このとき、管理装置１１２は、この判断情報に、各設備に取り付けられているセンサのセンサＩＤ、および、各センサの設置場所などのユーザ端末装置１５１のユーザに固有の詳細な情報を含める。
【０１３６】
また、図９（ｂ）に示すように、管理装置１１２は、たとえば、ユーザ端末装置１５１用の判断情報と同様に、ユーザにより並行または連続して行われた計測情報の閲覧状況に関して判断し、判断結果を示す情報を他ユーザ端末装置１５２，１５３用の判断情報として作成する。
【０１３７】
このとき、管理装置１１２は、当該判断情報にはセンサのセンサＩＤを含めなかったり、センサの設置場所を広いエリアで表記したりする。これにより、他ユーザ端末装置１５２，１５３のユーザは、図９（ｂ）に示すような判断情報を確認することで、たとえば、設備Ａの動作と設備Ｂの動作とは関連している可能性が高いと判断して、管理対象に生じた不具合の原因を解析するために設備Ａにおける工程と設備Ｂにおける工程とを併せて確認したり、設備Ａと設備Ｂとを併せてメンテナンスしたりすることができる。
【０１３８】
（変形例）
上述した実施の形態に係る管理システム３０１では、たとえば、判断情報の送信先ごとに判断情報の内容が予め定められ、管理装置１１２が、定められた内容に従って送信先の別に応じた判断情報を作成する。
【０１３９】
これに対して、本発明の実施の形態に係る管理システム３０１の変形例では、ユーザが判断情報に含める情報を指定可能であり、管理装置１１２が、ユーザにより指定された内容に従って判断情報を作成する。ここでは、上述した実施の形態と異なる点について主に説明する。
【０１４０】
図１０は、本発明の実施の形態に係る管理システムの変形例における管理装置、ユーザ端末装置および他ユーザ端末装置の各構成を示す図である。
【０１４１】
図１０を参照して、管理装置１１２は、センサ情報受信部２１、計測情報処理部２２、判断情報処理部２３および蓄積部２４に加えて、さらに、指定情報取得部２５を備える。また、ユーザ端末装置１５１は、入力受付部３１、計測情報通信部３２、表示部３３および判断情報通信部３４に加えて、さらに、指定受付部３５と、指定情報送信部３６とを備える。
【０１４２】
ユーザ端末装置１５１において、指定受付部３５は、管理装置１１２により作成される判断情報の内容に関するユーザの指定を受け付け、受け付けた当該指定の内容を示す指定情報を指定情報送信部３６へ出力する。指定情報送信部３６は、指定受付部３５から受けた指定情報を管理装置１１２へ送信する。
【０１４３】
管理装置１１２において、指定情報取得部２５は、ユーザ端末装置１５１の指定情報送信部３６から指定情報を受信する。そして、判断情報処理部２３は、指定情報取得部２５により受信された指定情報の示す指定の内容に基づいて、たとえば判断情報の送信先の別に応じて異なる内容の判断情報を作成する。
【０１４４】
より具体的には、ユーザ端末装置１５１は、管理装置１１２により作成される判断情報の送信先の候補を示す情報を予め記憶し、表示部３３が、当該候補を示す情報を画面に表示する。また、画面には、判断情報の送信先の候補ごとに、判断情報に含めることが可能な複数の情報が表示されている。
【０１４５】
そして、ユーザ端末装置１５１のユーザがマウスまたはキーボードを用いて、判断情報の送信先と、各送信先用の判断情報に含める情報とを選択すると、指定受付部３５は、判別情報の送信先と選択された情報とを対応づけた指定情報を指定情報送信部３６へ出力する。そして、指定情報送信部３６は、当該指定情報を管理装置１１２へ送信する。
【０１４６】
たとえば、ユーザ端末装置１５１のユーザは、ユーザ端末装置１５１へ送信される判断情報および他ユーザ端末装置１５２へ送信される判断情報にはセンサＩＤおよび各センサの設置場所などの詳細な情報が含まれる一方で、他ユーザ端末装置１５３へ送信される判断情報にはこれらの詳細な情報が含まれないように情報の選択を行うことができる。
【０１４７】
そして、管理装置１１２の指定情報取得部２５は、ユーザ端末装置１５１から指定情報を受信すると、受信した指定情報を蓄積部２４へ出力する。そして、蓄積部２４は、指定受付部２５から受けた指定情報を記憶する。なお、ユーザ端末装置１５１から送信された指定情報が既に蓄積部２４に記憶されている場合には、既に記憶されている当該ユーザ端末装置１５１用の指定情報は、新たに送信された指定情報に更新される。
【０１４８】
そして、判断情報処理部２３は、蓄積部２４に記憶されている指定情報を参照して、判断情報の送信先を特定し、特定した送信先ごとに異なる情報を含めた判断情報を作成する。そして、判断情報処理部２３は、作成した複数の判断情報を対応の送信先へそれぞれ送信する。
【０１４９】
その他の構成および動作は上述した本発明の実施の形態に係る管理システム３０１と同様であるため、ここでは詳細な説明を繰り返さない。
【０１５０】
ところで、管理対象に関する計測結果を無線伝送することが可能な１または複数の通信子機を設置し、センサによる計測結果を、通信子機を介して基地局において収集し、収集した計測結果に基づいて管理対象を管理する管理システムにおいて、管理対象の管理のためのより有用な情報を提供する技術が望まれる。
【０１５１】
これに対して、本発明の実施の形態に係る管理装置１１２では、計測情報処理部２２が、管理対象に関する計測を行なうセンサによる計測結果を示すセンサ情報、の一部または全部を示す計測情報を作成し、作成した前記計測情報を提示する制御を行う。また、判断情報処理部２３が、センサ情報に基づいて管理対象に関する判断を行い、判断結果を示す判断情報を作成し、作成した前記判断情報を提示する制御を行う。また、判断情報処理部２３は、計測情報の提示先とは異なる提示先に判断情報を提示可能である。
【０１５２】
このような構成により、計測情報の提示によってユーザＡに有用な情報を提供することができるだけでなく、ユーザＡ以外のユーザＸに判断情報を提示することで、ユーザＸが、製品の改良、メンテナンスの事前予測またはマーケティングなどに有用な情報を得ることができる。従って、センサによる計測結果を収集し、収集した計測結果に基づいて管理対象を管理可能な管理システム３０１において、管理対象の管理のためのより有用な情報を提供することができる。
【０１５３】
また、本発明の実施の形態に係る管理装置１１２では、判断情報処理部２３は、判断情報の提示先の別に応じて異なる内容の判断情報を作成する。
【０１５４】
このような構成により、たとえば、計測情報の提示先であるユーザＡ用の判断情報と、ユーザＡ以外のユーザＸ用の判断情報とを異なる内容に作成して、ユーザＡに固有の情報などがユーザＸに提示されることを防ぐことができる。
【０１５５】
また、ユーザＡ以外のユーザが複数存在する場合に、ユーザごとに異なる内容の判断情報を作成し、提示先のユーザにとって不要となる可能性の高い情報が判断情報に含まれないようにすることができるため、有用な情報を効率良く提供することができる。
【０１５６】
また、本発明の実施の形態に係る管理装置１１２では、指定情報取得部２５が、判断情報の内容に関するユーザの指定内容を示す指定情報を取得する。また、判断情報処理部２３は、指定情報取得部２５により取得された指定情報の示す指定内容に基づいて判断情報を作成する。
【０１５７】
このような構成により、たとえば、計測情報の提示先であるユーザＡは、ユーザＡ以外のユーザＸへの提示を希望しない情報のユーザＸへの提示をより確実に防ぐことができる。
【０１５８】
また、本発明の実施の形態に係るユーザ端末装置１５１では、計測情報通信部３２が、管理対象に関する計測を行なうセンサによる計測結果を示すセンサ情報、の一部または全部を示す計測情報を管理装置１１２から受信する。また、指定受付部３５が、判断情報の内容に関するユーザの指定を受け付ける。また、指定情報送信部３６が、指定受付部３５により受け付けられた指定の内容を示す指定情報を管理装置１１２へ送信する。
【０１５９】
このような構成により、計測情報の提示によってユーザＡに有用な情報を提供することができるだけでなく、ユーザＡ以外のユーザＸに判断情報を提示することで、ユーザＸが、製品の改良、メンテナンスの事前予測またはマーケティングなどに有用な情報を得ることができる。従って、センサによる計測結果を収集し、収集した計測結果に基づいて管理対象を管理可能な管理システムにおいて、管理対象の管理のためのより有用な情報を提供することができる。
【０１６０】
また、たとえば、計測情報の提示先であるユーザＡは、ユーザＡ以外のユーザＸへの提示を希望しない情報のユーザＸへの提示をより確実に防ぐことができる。
【０１６１】
なお、本発明の実施の形態に係る管理システム３０１は、通信子機１０２ごとに管理対象である産業材料１６２が存在する工場に用いられるとしたが、これに限定するものではない。管理システム３０１は、たとえば、１つの管理対象の複数の箇所または複数の測定項目等を複数のセンサ２０２によってそれぞれ計測する用途に用いられてもよい。
【０１６２】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１６３】
以上の説明は、以下に付記する特徴を含む。
【０１６４】
［付記１］
管理対象に関する計測を行なうセンサによる計測結果を示すセンサ情報、の一部または全部を示す計測情報を作成し、作成した前記計測情報を提示する制御を行う第１情報処理部と、
前記センサ情報に基づいて前記管理対象に関する判断を行い、判断結果を示す判断情報を作成し、作成した前記判断情報を提示する制御を行う第２情報処理部とを備え、
前記第２情報処理部は、前記計測情報の提示先とは異なる提示先に前記判断情報を提示可能であり、
前記計測情報の提示先は、予め登録された端末装置に制限されており、
前記端末装置以外の提示先に提示される前記判断情報の内容は、前記端末装置へ提示される前記判断情報よりも制限されている、管理装置。
【０１６５】
［付記２］
端末装置であって、
管理対象に関する計測を行なうセンサによる計測結果を示すセンサ情報、の一部または全部を示す計測情報を管理装置から取得する取得部を備え、
前記管理装置は、前記センサ情報に基づいて前記管理対象に関する判断を行い、判断結果を示す判断情報を作成し、作成した前記判断情報を、前記計測情報の提示先である前記端末装置とは異なる提示先に提示可能であり、
前記端末装置は、さらに、
前記判断情報の内容に関するユーザの指定を受け付ける指定受付部と、
前記指定受付部により受け付けられた前記指定の内容を示す指定情報を前記管理装置へ送信する指定情報送信部とを備え、
前記計測情報の提示先は、予め登録された端末装置に制限されており、
前記端末装置以外の提示先に提示される前記判断情報の内容は、前記端末装置へ提示される前記判断情報よりも制限されている、端末装置。
【０１６６】
［付記３］
管理装置と、
端末装置とを備え、
前記管理装置は、管理対象に関する計測を行なうセンサによる計測結果を示すセンサ情報、の一部または全部を示す計測情報を作成し、作成した前記計測情報を前記端末装置に提示する制御を行い、
前記管理装置は、前記センサ情報に基づいて前記管理対象に関する判断を行い、判断結果を示す判断情報を作成し、作成した前記判断情報を提示する制御を行い、前記判断情報を前記計測情報の提示先である前記端末装置とは異なる提示先に提示可能であり、
前記計測情報の提示先は、予め登録された端末装置に制限されており、
前記端末装置以外の提示先に提示される前記判断情報の内容は、前記端末装置へ提示される前記判断情報よりも制限されている、管理システム。
【符号の説明】
【０１６７】
２１  センサ情報受信部
２２  計測情報処理部（第１情報処理部）
２３  判断情報処理部（第２情報処理部）
２４  蓄積部
２５  指定情報取得部
３１  入力受付部
３２  計測情報通信部（取得部）
３３，４２  表示部
３４，４１  判断情報通信部
３５  指定受付部
３６  指定情報送信部
１０１  基地局
１０２  通信子機
１１２  管理装置
１５１  ユーザ端末装置（端末装置）
１５２，１５３  他ユーザ端末装置
１６１  コンテナ
１６２  産業材料
１７１  ネットワーク
３０１  管理システム
【図１】
0006451122.tif 000002
【図２】
0006451122.tif 000003
【図３】
0006451122.tif 000004
【図４】
0006451122.tif 000005
【図５】
0006451122.tif 000006
【図６】
0006451122.tif 000007
【図７】
0006451122.tif 000008
【図８】
0006451122.tif 000009
【図９】
0006451122.tif 000010
【図１０】
0006451122.tif 000011